(57)【特許請求の範囲】
【請求項１】
電源に直結された制御回路と、
この制御回路に接続された電源スイッチ、送受切替え操作スイッチおよびエマージェンシキーと、
前記制御回路により制御される周辺回路スイッチと、
前記制御回路により制御される送信、受信スイッチと、
この送信、受信スイッチおよび前記周辺回路スイッチを介して電源に接続される送信回路および受信回路と、
前記周辺回路スイッチを介して電源に接続され、前記制御回路により制御される表示部とを具備し、
通常動作時は、前記電源スイッチの操作に伴ない前記制御回路により前記周辺回路スイッチがオン、オフ制御され、
前記エマージェンシキーが操作された時は前記制御回路により前記周辺回路スイッチと前記送信スイッチがオン状態に維持されて前記送信回路による送信が継続して行われ（エマージェンシ動作が行われ）、
このエマージェンシ動作時に前記電源スイッチが操作されたときは、前記制御回路により前記周辺回路スイッチおよび前記送信スイッチがオン状態に維持されてエマージェンシ動作が継続されたまま前記制御回路により前記表示部が制御されて該表示部による表示が消されることを特徴とする無線機。
【請求項２】
前記周辺回路スイッチがオフ状態に設定されている電源オフ状態で前記制御回路により前記エマージェンシキーの状態を監視し、エマージェンシキーが操作されると、前記制御回路により前記周辺回路スイッチおよび前記送信スイッチをオン状態に設定して前記エマージェンシ動作を開始させることを特徴とする請求項１に記載の無線機。
【請求項３】
前記送信回路にはハンドマイクおよびエマージェンシ用マイクが切替え接続され、通常動作時には前記ハンドマイクが動作し、エマージェンシ動作時には前記エマージェンシ用マイクが動作することを特徴とする請求項１または２に記載の無線機。
【請求項４】
前記送信回路にマイクケーブルを介して接続されたハンドマイクが前記送信回路から取り外されたこと、または前記マイクケーブルが切断されたことを検出する手段を有し、この検出手段が前記の異常を検出したときに前記制御回路により前記エマージェンシ動作が起動されることを特徴とする請求項１ないし３のいずれかに記載の無線機。
【請求項５】
前記表示部が消された状態で前記エマージェンシ動作が解除されたときは、前記表示部が前記制御回路により点灯状態に設定されることを特徴とする請求項１ないし４のいずれかに記載の無線機。
【発明の詳細な説明】
【０００１】
【発明の属する技術分野】
本発明は、無線機に関する。
【０００２】
【従来の技術】
タクシ等では強盗対策等のため、エマージェンシ機能を備えた無線機を使用している。この無線機は、ある特定のキーを押すと自動送信を行いそのまま送信を継続する。この自動送信を受信することにより、基地局はある車がエマージェンシ状態に陥ったことを知ることができるとともに車内の音声を聞くことができる。
【０００３】
図５は、エマージェンシ機能を備えた従来の無線機の回路構成を示す。この図において、１１はマイコンで、電源端子が電源スイッチ１２を介して＋電源に接続される。このマイコン１１にはＰＴＴスイッチ１３およびエマージェンシキー１４が接続される。１５は送信回路、１６は受信回路で、両回路１５，１６の電源端子は送信／受信スイッチ１７で切替えて、さらには前記電源スイッチ１２を介して前記＋電源に接続される。送信回路１５にはハンドマイク１８が接続され、受信回路１６にはスピーカ１９が接続される。２０は表示回路とその出力に接続された表示器を有する表示部で、電源端子が前記電源スイッチ１２を介して前記＋電源に接続される。
【０００４】
このような構成において、送信／受信スイッチ１７はマイコン１１によりコントロールされ、送信回路１５側に切替えられると送信回路１５に電源を供給し送信回路１５を動作させ、送信回路１５による送信を開始させる。一方、送信／受信スイッチ１７が受信回路１６側に切替えられると受信回路１６に電源を供給し受信回路１６を動作させ、受信状態とする。表示部２０を制御して表示部２０に何を表示するかもマイコン１１によりコントロールされる。
【０００５】
マイコン１１はＰＴＴスイッチ１３が押されたことを検出すると送信／受信スイッチ１７を送信回路１５側に切替え送信を開始させ、ＰＴＴスイッチ１３が離されたことを検出すると送信／受信スイッチ１７を受信回路１６側に切替えて送信をやめ受信状態とする（通常動作）。また、マイコン１１は、エマージェンシキー１４が押されたことを検出すると送信／受信スイッチ１７を送信回路１５側に切替えて送信を開始させる。このとき、たとえエマージェンシキー１４が離されても送信／受信スイッチ１７はマイコン１１により送信回路１５側に維持され、送信が継続される（エマージェンシ動作）。このエマージェンシ動作および前記通常動作において、ハンドマイク１８が拾った音声は送信回路１５により送信される。
【０００６】
エマージェンシ動作が開始されたとき表示部２０に「ＥＭＥＲＧＥＮＣＹ」等を表示させることによりエマージェンシ動作が開始されたことを認識できるようにすることもできるし、何も表示を変化させないで、エマージェンシ動作の開始を気づかれないようにすることもできる。また、電源スイッチ１２が押され、電源スイッチ１２がオフすると、いつでも無線機全体の電源がオフになるため、エマージェンシ動作も解除される。
【０００７】
図６に示すように、電源スイッチ１２を表示部２０のみのスイッチとして使用するような従来の無線機も存在する。この無線機においては、マイコン１１と送信回路１５および受信回路１６が＋電源に直結（ただし、送信回路１５と受信回路１６については送信／受信スイッチ１７を介して直結）されており、表示部２０のみが電源スイッチ１２を介して＋電源に接続される。したがって、マイコン１１と送受信回路部分には常に電源が供給されており、電源スイッチ１２は表示部２０のスイッチとして動作する。
【０００８】
この無線機においては、図５の無線機と同様にして通常動作およびエマージェンシ動作が行われる。また、電源スイッチ１２がオフすると表示部２０への電源供給が途絶えるため表示部２０での表示が消え、見かけ上無線機の電源がオフになったように見える。しかし、マイコン１１および送受信回路部分には電源が供給し続けられる。したがって、エマージェンシ動作中に電源スイッチ１２が切られても、表示部２０の表示が消えて見かけ上は無線機の電源が切られたように見えるが、マイコン１１および送信回路１５が動作し続けて実際は自動送信が継続される。
【０００９】
【発明が解決しようとする課題】
しかしながら、図５および図６の従来の無線機では、次のような問題点があった。
（１）図５の無線機では、エマージェンシ動作中であっても電源スイッチ１２が切られると無線機の電源がオフになる。このとき、送信回路１５への電源供給も途絶えるため、エマージェンシ動作を継続することができなくなってしまう。つまり、強盗等が無線機の電源スイッチ１２を切ってしまうと、エマージェンシ動作は簡単に解除されてしまう。
（２）図６の無線機では、例えエマージェンシ動作中に電源スイッチ１２が切られても、表示部２０の消灯により見かけ上は無線機の電源が切られたように見えるが、エマージェンシ動作は継続する。しかし、無線機を使用しないときでも表示部２０以外の部分に電源が供給されてマイコン１１や、通常受信回路１６側に接続される送信／受信スイッチ１７を介して受信回路１６に電流が流れ続けるため、車のバッテリがあがってしまう等の問題があった。
（３）図５および図６の無線機とも、ハンドマイク１８が取り外されたりマイクケーブルが切断されたりすると、送信は継続するものの、車内の音声をモニタすることはできなくなってしまう。
【００１０】
本発明は上記の点に鑑みなされたもので、主なる目的は、エマージェンシ動作中に電源スイッチが切られても見かけ上は電源が切られたように見せながらエマージェンシ動作を継続することができ、しかも無線機を使用しないときの無駄な電力消費を防止できる無線機を提供することにある。
【００１１】
【課題を解決するための手段】
本発明の無線機は、電源に直結された制御回路と、この制御回路に接続された電源スイッチ、送受切替え操作スイッチおよびエマージェンシキーと、前記制御回路により制御される周辺回路スイッチと、前記制御回路により制御される送信、受信スイッチと、この送信、受信スイッチおよび前記周辺回路スイッチを介して電源に接続される送信回路および受信回路と、前記周辺回路スイッチを介して電源に接続され、前記制御回路により制御される表示部とを具備し、通常動作時は、前記電源スイッチの操作に伴ない前記制御回路により前記周辺回路スイッチがオン、オフ制御され、前記エマージェンシキーが操作された時は前記制御回路により前記周辺回路スイッチと前記送信スイッチがオン状態に維持されて前記送信回路による送信が継続して行われ（エマージェンシ動作が行われ）、このエマージェンシ動作時に前記電源スイッチが操作されたときは、前記制御回路により前記周辺回路スイッチおよび前記送信スイッチがオン状態に維持されてエマージェンシ動作が継続されたまま前記制御回路により前記表示部が制御されて該表示部による表示が消されることを特徴とする。
【００１２】
上記無線機において、好ましい形態としては、前記周辺回路スイッチがオフ状態に設定されている電源オフ状態で前記制御回路により前記エマージェンシキーの状態を監視し、エマージェンシキーが操作されると、前記制御回路により前記周辺回路スイッチおよび前記送信スイッチをオン状態に設定して前記エマージェンシ動作を開始させるようにする。また、前記送信回路にはハンドマイクおよびエマージェンシ用マイクが切替え接続され、通常動作時には前記ハンドマイクが動作し、エマージェンシ動作時には前記エマージェンシ用マイクが動作するようにする。さらに、前記送信回路にマイクケーブルを介して接続されたハンドマイクが前記送信回路から取り外されたこと、または前記マイクケーブルが切断されたことを検出する手段を有し、この検出手段が前記の異常を検出したときに前記制御回路により前記エマージェンシ動作が起動されるようにする。さらに、前記表示部が消された状態で前記エマージェンシ動作が解除されたときは、前記表示部が前記制御回路により点灯状態に設定されるようにする。
【００１３】
【発明の実施の形態】
次に添付図面を参照して本発明による無線機の実施の形態を詳細に説明する。図１は、本発明の無線機の実施の形態を示す回路図である。この図において、３１はマイコン（制御回路）で、電源スイッチ３２、ＰＴＴスイッチ（送受切替え操作スイッチ）３３およびエマージェンシキー３４が接続される。このマイコン３１は、電源端子が＋電源に直結される。３５は周辺回路スイッチで、マイコン３１により制御される。３６は送信回路、３７は受信回路で、両回路３６，３７の電源端子は送信／受信スイッチ３８で切替えて、さらには前記周辺回路スイッチ３５を介して前記＋電源に接続される。送信回路３６にはハンドマイク３９が接続され、受信回路３７にはスピーカ４０が接続される。４１は表示回路とその出力に接続された表示器を有する表示部で、電源端子が前記周辺回路スイッチ３５を介して前記＋電源に接続される。
【００１４】
このような構成において、通常動作時は、電源スイッチ３２が押される度にマイコン３１が周辺回路スイッチ３５をオン、オフする。そして、周辺回路スイッチ３５がオンした状態において、通常動作およびエマージェンシ動作が従来技術と同様に行われる。すなわち、通常動作としては、ＰＴＴスイッチ３３の操作に伴い送信／受信スイッチ３８がマイコン３１によりコントロールされ、送信および受信が行われる。より詳細には、ＰＴＴスイッチ３３が押されたことをマイコン３１が検出するとマイコン３１は送信／受信スイッチ３８を送信回路３６側に切替え（送信スイッチオン状態とし）電源を送信回路３６に接続し、送信回路３６を動作させ、送信回路３６による送信を開始させる。一方、ＰＴＴスイッチ３３が離されたことをマイコン３１が検出するとマイコン３１は送信／受信スイッチ３８を受信回路３７側に切替え、電源を受信回路３７に接続し受信回路３７を動作させ、受信状態とする。
【００１５】
一方、ＰＴＴスイッチ３３に代えてエマージェンシキー３４が押されると、例えそれが離されても送信／受信スイッチ３８はマイコン３１により送信回路３６側に接続されたままで（送信スイッチオン状態のままで）送信回路３６が継続して動作し、送信回路３６により送信が継続して行われる。すなわち、エマージェンシ動作が行われる。
【００１６】
このエマージェンシ動作中において電源スイッチ３２が押された場合は、マイコン３１は表示部４１を制御して表示部４１による表示をオフ（何も表示しない）にするとともに、周辺回路スイッチ３５はオンのまま、送信／受信スイッチ３８は送信回路３６側に接続されたまま（送信スイッチオン状態のまま）にする。このことにより、表示部４１の表示が消えて見かけ上無線機の電源が切れたように見えるが、送信回路３６には電源が供給されて実際にはエマージェンシ動作を継続する。
【００１７】
しかる後、エマージェンシ動作を解除する場合は通常とは異なる動作、例えばエマージェンシキー３４を押しながら電源スイッチ３２を押すなどの操作を行う。また、エマージェンシキー３４がその性格から他の者には判らないように目立たなく設けられているから、単にエマージェンシキー３４を押すことによりエマージェンシ動作を解除させることもできる。
【００１８】
そして、エマージェンシ動作が解除されと、マイコン３１により制御されて送信／受信スイッチ３８は受信回路３７側に接続された状態、表示部４１は再び点灯された状態となるので、通常の受信動作状態となる。さらに、この通常動作状態においては、電源スイッチ３２の操作に伴ないマイコン３１で周辺回路スイッチ３５をオフにすることができるので、無線機を使用しないときは、電源スイッチ３２を操作して周辺回路スイッチ３５をオフさせることにより、送信回路３６、受信回路３７および表示部４１側の電源（すなわち無線機の電源）をオフにすることができる。このようになれば、電流はマイコン３１に流れる必要最小限となり、従来流れていた受信回路３７での電流を防止できるから、無駄な電力消費を防止できる。
【００１９】
なお、上記の例では通常動作状態から無線機の電源をオフにしたが、エマージェンシ動作の状態において例えば電源スイッチ３２を１０秒間長押しすることにより、エマージェンシ動作から直接無線機電源オフ状態に設定することもできる。
【００２０】
以上のように、上記の無線機によれば、エマージェンシ動作時に電源スイッチ３２が操作されたときに（電源スイッチ３２が強盗により切られたときに）表示部４１の表示を消して見かけ上無線機の電源が切れたように見せながらエマージェンシ動作を継続することができる。また、無線機を使用しないときは送信回路３６、受信回路３７および表示部４１の電源（すなわち無線機の電源）を切ることができるので、無駄な電力消費を防止できる。さらに、表示部４１が消えた状態でエマージェンシ動作時から通常動作状態に戻ったときは表示部４１が再び点灯するので、これを見て無線機の電源が入っていることに気づき、必要なければ無線機の電源を忘れずに切ることができる。
【００２１】
さらに、上記の無線機によれば、マイコン３１には電源が供給され続けているので、無線機の電源オフ状態（周辺回路スイッチ３５オフ状態）でマイコン３１によりエマージェンシキー３４の状態を監視し、エマージェンシキー３４が操作されれば、マイコン３１で周辺回路スイッチ３５をオン状態、送信／受信スイッチ３８を送信回路側接続状態（送信スイッチオン状態）に設定して、無線機の電源オフ状態から一発でエマージェンシ動作状態に設定することができる。このとき、表示部４１はマイコン３１の制御の下、何かを表示することもできるし表示しないようにすることもできるが、エマージェンシ動作を強盗等に知られないという意味から表示部４１は表示が消されることが好ましい。
【００２２】
上記無線機においては、他の特徴点として、前記ハンドマイク３９に加えて、エマージェンシ時の状況を送るためのエマージェンシ用マイクが準備される。このマイク部分の構成を詳細に示すのが図２である。図２において、３６ａは送信回路３６のマイク入力で、このマイク入力３６ａにハンドマイク３９とエマージェンシ用マイク４２が切替えスイッチ４３で切替えられて接続される。エマージェンシ用マイク４２は、図３に示すように車内のどこか見えない場所に設置しておく。
【００２３】
ハンドマイク３９とエマージェンシ用マイク４２のどちらを送信回路３６につなぐかはマイコン３１により切替えスイッチ４３を操作してコントロール可能である。勿論、通常動作時はハンドマイク３９を送信回路３６に接続し、エマージェンシ動作時はエマージェンシ用マイク４２を送信回路３６に接続する。これにより、エマージェンシ動作中に例えハンドマイク３９が取り外されたり壊されたりしても車内の音声をエマージェンシ用マイク（隠しマイク）４２でモニタし続けることができる。なお、ハンドマイク３９の側面には図３に示すようにＰＴＴスイッチ３３が設けられている。
【００２４】
上記実施の形態では、エマージェンシキー３４が操作されることによりエマージェンシ動作が開始されたが、ハンドマイク３９の取り外し、あるいはハンドマイクケーブルの切断をマイコン３１で検出することによりエマージェンシ動作を自動的に起動させることもできる。このような起動法を図４の回路図を参照して説明する。
【００２５】
図４において、５１は無線機本体とハンドマイク３９とを接続するコネクタで、第１、第２、第３の端子５１１，５１２，５１３を有する。第１の端子５１１はマイク検出端子で、マイコン３１のマイク検出入力３１ｂ（抵抗５２を介して＋電圧に接続される）に接続されるとともに、マイクケーブル５３によってハンドマイク部内を経由して第３の端子５１３に接続される。第３の端子５１３は接地される。第２の端子５１２はマイク信号端子で、マイクケーブル５３によってハンドマイク３９に接続されるとともに、マイク切替えスイッチ４３を介して送信回路３６のマイク入力３６ａに接続される。マイク切替えスイッチ４３はマイクをハンドマイク３９（第２の端子５１２）とエマージェンシ用マイク４２とで切替える。
【００２６】
このような構成において、いまマイクケーブル５３が切断されたりハンドマイク３９がコネクタ５１部分で取り外されたりすると、コネクタ５１の第１の端子５１１と第３の端子５１３の接続が切り離されるから、マイコン３１のマイク検出入力３１ｂの電圧レベルがローからハイに変化する。マイコン３１は、その変化を検出すると送信回路３６につながるマイクをハンドマイク３９からエマージェンシ用マイク４２に切替えると同時に、周辺回路スイッチ３５をオン、送信／受信スイッチ３８を送信回路側接続状態に制御して送信回路３６による自動送信（エマージェンシ動作）を開始させる。
【００２７】
以上好ましい実施の形態を詳述した。上記の説明では、エマージェンシ動作として、無線機が送信状態を維持してマイクにより音を拾い、その場の様子を基地局に知らせるように説明したが、エマージェンシの送信であることを知らせるために特別な信号を送信に自動的に加えてもよい。
【００２８】
【発明の効果】
以上詳細に説明したように本発明の無線機によれば、エマージェンシ動作中に電源スイッチが切られても見かけ上電源が切られたように見せながらエマージェンシ動作を継続することができ、しかも無線機を使用しないときの無駄な電力消費を防止できる。
【図面の簡単な説明】
【図１】本発明による無線機の実施の形態を示す回路図。
【図２】本発明の無線機の他の特徴点を説明するための回路図。
【図３】エマージェンシ用マイクの車内での設置法を示す図。
【図４】本発明の無線機におけるエマージェンシ動作の他の起動法を説明するための回路図。
【図５】従来の無線機を示す回路図。
【図６】従来の他の無線機を示す回路図。
【符号の説明】
３１  マイコン
３２  電源スイッチ
３３  ＰＴＴスイッチ
３４  エマージェンシキー
３５  周辺回路スイッチ
３６  送信回路
３７  受信回路
３８  送信／受信スイッチ
４１  表示部
【図１】
0003690595.tif 000002
【図２】
0003690595.tif 000003
【図３】
0003690595.tif 000004
【図４】
0003690595.tif 000005
【図５】
0003690595.tif 000006
【図６】
0003690595.tif 000007